(57)【特許請求の範囲】
【請求項１】
使用済みの医療器材の洗浄を確認するための洗浄確認用インジケータを収容する収容空間を内部に有するホルダー本体を備え、
前記ホルダー本体は、前記ホルダー本体の一端面を有する一端面側本体部と、前記ホルダー本体の他端面を有し、前記一端面側本体部に固定される他端面側本体部と、を有し、
前記ホルダー本体の一端面には、前記一端面側本体部の基準方向を示す第１方向表示部が設けられ、
前記ホルダー本体の他端面には、前記他端面側本体部の基準方向を示す第２方向表示部と、医療用自動洗浄機の内部に配置される洗浄バスケットを構成して前記ホルダー本体を支持するホルダー支持部材に、前記ホルダー本体を固定するための被固定部と、が設けられ、
前記第２方向表示部は、前記一端面側本体部と前記他端面側本体部とを結ぶ方向において、前記第１方向表示部に対応する形状を有する、洗浄確認用インジケータホルダー。
【請求項２】
前記一端面側本体部は、複数の係合部を有し、一の前記係合部は、他の前記係合部と異なる形状を有し、
前記他端面側本体部は、前記複数の係合部にそれぞれ係合する複数の被係合部を有し、一の前記被係合部は、他の前記被係合部と異なる形状を有し、且つ、前記一の係合部にのみ係合する、請求項１に記載の洗浄確認用インジケータホルダー。
【請求項３】
前記複数の係合部は、前記一端面側本体部を前記他端面側本体部に対して相対的に回転をさせることにより、複数の前記被係合部に係合し、
前記係合部には、係合部凸部が設けられ、
前記被係合部には、前記回転の際に前記係合部凸部に当接してから、前記回転の方向において前記係合部凸部を乗り越えることにより、前記係合部の前記被係合部への係合が維持される状態となる被係合部凸部が設けられ、
前記係合部凸部が設けられる前記係合部の部分と、前記被係合部凸部が設けられる前記被係合部の部分とのうちの少なくとも一方は、前記回転の際に前記被係合部凸部が前記係合部凸部を乗り越えるときに、前記係合部凸部が前記被係合部凸部に対して相対的に且つ弾性的に変位可能に、薄肉に形成されている、請求項２に記載の洗浄確認用インジケータホルダー。
【請求項４】
前記他端面側本体部は、前記収容空間を二等分する一の線を中心とした非線対称の形状を有する位置決め係合部を有し、
前記洗浄確認用インジケータは、前記位置決め係合部に係合する位置決め被係合部を有し、
前記ホルダー本体の一端面には、前記結ぶ方向において、前記位置決め係合部に対応する形状を有する位置決め表示部が設けられる、請求項１〜請求項３のいずれかに記載の洗浄確認用インジケータホルダー。
【発明の詳細な説明】
【技術分野】
【０００１】
本発明は、使用済みの医療器材を医療用自動洗浄機で洗浄する際に用いられる、洗浄確認用インジケータホルダーに関する。
【背景技術】
【０００２】
従来、医療機関において、使用済みの内視鏡、ラパコレ鉗子、生検鉗子、吸引管、カテーテル、シリンジ、注射針等の医療器材を、医療用自動洗浄機で洗浄することが行われている。そして、医療用自動洗浄機によって、洗浄が正常に行われているか否かの確認をするために、洗浄確認用インジケータが用いられている。
【０００３】
洗浄確認用インジケータには、擬似汚染物が付着させられている。洗浄確認用インジケータは、インジケータホルダーに保持された状態で、医療器材と共に医療用自動洗浄機に挿入され、洗浄される。洗浄後に擬似汚染物が洗浄された状態を確認することにより、医療用自動洗浄機による洗浄が正常に行われているか否かの判定を確認できるように構成されている（例えば、特許文献１、２参照）。
【先行技術文献】
【特許文献】
【０００４】
【特許文献１】特開２００９−５６０３０号公報
【特許文献２】特開２００９−６１０１２号公報
【発明の概要】
【発明が解決しようとする課題】
【０００５】
インジケータホルダーを医療用自動洗浄機に挿入する際には、医療用自動洗浄機の内部に配置される洗浄バスケットに対して、インジケータホルダーを所定の方向に向けた状態として、固定する。この際に、洗浄バスケットに対してインジケータホルダーを、容易に当該所定の方向に向けることができ、正確に固定できることが求められている。
【０００６】
本発明は、インジケータホルダーを、医療用自動洗浄機の内部に対して、容易に所定の方向に向けた状態とすることが可能であり、正確に固定可能な洗浄確認用インジケータホルダーを提供することを目的とする。
【課題を解決するための手段】
【０００７】
本発明は、使用済みの医療器材の洗浄を確認するための洗浄確認用インジケータを収容する収容空間を内部に有するホルダー本体を備え、前記ホルダー本体は、前記ホルダー本体の一端面を有する一端面側本体部と、前記ホルダー本体の他端面を有し、前記一端面側本体部に固定される他端面側本体部と、を有し、前記ホルダー本体の一端面には、前記一端面側本体部の基準方向を示す第１方向表示部が設けられ、前記ホルダー本体の他端面には、前記他端面側本体部の基準方向を示す第２方向表示部と、医療用自動洗浄機の内部に配置される洗浄バスケットを構成して前記ホルダー本体を支持するホルダー支持部材に前記ホルダー本体を固定するための被固定部と、が設けられ、前記第２方向表示部は、前記一端面側本体部と前記他端面側本体部とを結ぶ方向において、前記第１方向表示部に対応する形状を有する、洗浄確認用インジケータホルダーに関する。
【０００８】
また、前記一端面側本体部は、複数の係合部を有し、一の前記係合部は、他の前記係合部と異なる形状を有し、前記他端面側本体部は、前記複数の係合部にそれぞれ係合する複数の被係合部を有し、一の前記被係合部は、他の前記被係合部と異なる形状を有し、且つ、前記一の係合部にのみ係合することが好ましい。
【０００９】
また、前記複数の係合部は、前記一端面側本体部を前記他端面側本体部に対して相対的に回転をさせることにより、複数の前記被係合部に係合し、前記係合部には、係合部凸部が設けられ、前記被係合部には、前記回転の際に前記係合部凸部に当接してから、前記回転の方向において前記係合部凸部を乗り越えることにより、前記係合部の前記被係合部への係合が維持される状態となる被係合部凸部が設けられ、前記係合部凸部が設けられる前記係合部の部分と、前記被係合部凸部が設けられる前記被係合部の部分とのうちの少なくとも一方は、前記回転の際に前記被係合部凸部が前記係合部凸部を乗り越えるときに、前記係合部凸部が前記被係合部凸部に対して相対的に且つ弾性的に変位可能に、薄肉に形成されていることが好ましい。
【００１０】
また、前記他端面側本体部は、前記収容空間を二等分する一の線を中心とした非線対称の形状を有する位置決め係合部を有し、前記洗浄確認用インジケータは、前記位置決め係合部に係合する位置決め被係合部を有し、前記ホルダー本体の一端面には、前記結ぶ方向において、前記位置決め係合部に対応する形状を有する位置決め表示部が設けられることが好ましい。
【発明の効果】
【００１１】
本発明によれば、インジケータホルダーを、医療用自動洗浄機の内部に対して、容易に所定の方向に向けた状態とすることが可能であり、正確に固定可能な洗浄確認用インジケータホルダーを提供することができる。
【図面の簡単な説明】
【００１２】
【図１】本発明の実施形態の洗浄確認用インジケータホルダー１を示す断面図である。
【図２】本発明の実施形態の洗浄確認用インジケータホルダー１を示す分解斜視図である。
【図３】本発明の実施形態の洗浄確認用インジケータホルダー１の第１本体部２０を示す上方斜視図である。
【図４】本発明の実施形態の洗浄確認用インジケータホルダー１の第１本体部２０を示す下方斜視図である。
【図５】本発明の実施形態の洗浄確認用インジケータホルダー１の第１本体部２０を示す平面図である。
【図６】本発明の実施形態の洗浄確認用インジケータホルダー１の第１本体部２０を示す側面図である。
【図７】本発明の実施形態の洗浄確認用インジケータホルダー１の第１本体部２０を示す底面図である。
【図８】本発明の実施形態の洗浄確認用インジケータホルダー１の第２本体部４０を示す平面図である。
【図９】本発明の実施形態の洗浄確認用インジケータホルダー１の第２本体部４０を示す下方斜視図である。
【図１０】本発明の実施形態の洗浄確認用インジケータホルダー１の第２本体部４０を示す底面図である。
【図１１Ａ】本発明の実施形態の洗浄確認用インジケータホルダー１が医療用自動洗浄機ＷＤにおいて洗浄される様子を示す概念図である。
【図１１Ｂ】本発明の実施形態の洗浄確認用インジケータホルダー１の被固定部２０５が金網状を有する洗浄バスケットＢのワイヤＷＲに固定された様子を示す平面図である。
【図１１Ｃ】本発明の実施形態の洗浄確認用インジケータホルダー１の被固定部４０５が金網状を有する洗浄バスケットＢのワイヤＷＲに固定された様子を示す底面図である。
【図１１Ｄ】本発明の実施形態の洗浄確認用インジケータホルダー１の被固定部２０５が金網状を有する洗浄バスケットＢのワイヤＷＲに固定された様子を示す底面図である。
【図１１Ｅ】本発明の実施形態の洗浄確認用インジケータホルダー１の被固定部４０５が金網状を有する洗浄バスケットＢのワイヤＷＲに固定された様子を示す平面図である。
【図１２】本発明の実施形態の洗浄確認用インジケータホルダー１の洗浄用水流路２０１及び洗浄液排出路２１７における洗浄液Ｗ、Ｗ１、Ｗ２の流れを示す拡大断面図である。
【発明を実施するための形態】
【００１３】
以下、本発明の洗浄確認用インジケータホルダーについて図面を参照しながら説明する。図１は、本発明の実施形態の洗浄確認用インジケータホルダー１を示す断面図である。図２は、本発明の実施形態の洗浄確認用インジケータホルダー１を示す分解斜視図である。図３は、本発明の実施形態の洗浄確認用インジケータホルダー１の第１本体部２０を示す上方斜視図である。図４は、本発明の実施形態の洗浄確認用インジケータホルダー１の第１本体部２０を示す下方斜視図である。図５は、本発明の実施形態の洗浄確認用インジケータホルダー１の第１本体部２０を示す平面図である。図６は、本発明の実施形態の洗浄確認用インジケータホルダー１の第１本体部２０を示す側面図である。図７は、本発明の実施形態の洗浄確認用インジケータホルダー１の第１本体部２０を示す底面図である。
【００１４】
図８は、本発明の実施形態の洗浄確認用インジケータホルダー１の第２本体部４０を示す平面図である。図９は、本発明の実施形態の洗浄確認用インジケータホルダー１の第２本体部４０を示す下方斜視図である。図１０は、本発明の実施形態の洗浄確認用インジケータホルダー１の第２本体部４０を示す底面図である。
【００１５】
図１１Ａは、本発明の実施形態の洗浄確認用インジケータホルダー１が医療用自動洗浄機ＷＤにおいて洗浄される様子を示す概念図である。図１１Ｂは、本発明の実施形態の洗浄確認用インジケータホルダー１の被固定部２０５が金網状を有する洗浄バスケットＢのワイヤＷＲに固定された様子を示す平面図である。図１１Ｃは、本発明の実施形態の洗浄確認用インジケータホルダー１の被固定部４０５が金網状を有する洗浄バスケットＢのワイヤＷＲに固定された様子を示す底面図である。図１１Ｄは、本発明の実施形態の洗浄確認用インジケータホルダー１の被固定部２０５が金網状を有する洗浄バスケットＢのワイヤＷＲに固定された様子を示す底面図である。図１１Ｅは、本発明の実施形態の洗浄確認用インジケータホルダー１の被固定部４０５が金網状を有する洗浄バスケットＢのワイヤＷＲに固定された様子を示す平面図である。図１２は、本発明の実施形態の洗浄確認用インジケータホルダー１の洗浄用水流路２０１及び洗浄液排出路２１７における洗浄液Ｗ、Ｗ１、Ｗ２の流れを示す拡大断面図である。
【００１６】
ここで、説明の便宜上、第２本体部４０から第１本体部２０へ向かう方向（図１における下から上へ向かう方向）を上方向Ｄ１１と定義し、その反対の方向を下方向Ｄ１２と定義し、これらを上下方向Ｄ１と定義する。主要な図面においては、これらの方向を示す矢印を付して説明する。
【００１７】
〔実施形態の全体構成〕
図１及び図２に示すように、本実施形態の洗浄確認用インジケータホルダー１は、ホルダー本体１０を備えている。ホルダー本体１０は、円盤形状を有しており、洗浄確認用インジケータを収容する収容空間１０１を内部に有している。具体的には、ホルダー本体１０は、それぞれ円盤形状を有しているポリカーボネート製の一端面側本体部としての第１本体部２０と、他端面側本体部としての第２本体部４０と、を有している。収容空間１０１は、第１本体部２０の下面と第２本体部４０の上面との間の空間により構成されている。収容空間１０１は、ホルダー本体１０の半径方向における中央部分に位置する。
【００１８】
収容空間１０１には、擬似汚染物が付着した基板Ｃにより構成された洗浄確認用インジケータが収納される。図２に示すように、基板Ｃは、金属製の薄い円盤形状を有している。基板Ｃの中央部に、基板Ｃと同心円状に擬似汚染物（図示せず）が付着される。基板Ｃの上面であって、擬似汚染物が付着していない部分は、位置決め被係合部Ｃ１０１を有している。位置決め被係合部Ｃ１０１は、長円形状を有する貫通孔により構成されており、位置決め被係合部Ｃ１０１の長手方向は、基板Ｃの直径方向、接線方向のいずれとも直交しておらず、これらの方向に対して傾斜した方向へ指向する。基板Ｃの周縁部が、第１本体部２０と第２本体部４０とにより挟まれることにより、基板Ｃは、収容空間１０１内において、ホルダー本体１０に固定された状態で支持される。
【００１９】
〔第１本体部２０〕
第１本体部２０は、第１板状部２１と、第１周縁部環状壁２２と、収容空間第１形成環状壁２３と、洗浄用水流路２０１と、を有している。第１板状部２１は、円盤形状を有している。
【００２０】
第１本体部２０の一端面（上方向Ｄ１１の側の面）には、第１本体部２０の基準方向を示す第１方向表示部としての第１十字ガイド２００１が設けられている。具体的には、図３、図５等に示すように、第１十字ガイド２００１は、第１板状部２１の上面から上方向Ｄ１１へ突出しており、また、円盤形状を有する第１板状部２１の上面において、中心を通り直径方向に互いに直交するように延びている。第１十字ガイド２００１は、後述のように、医療用自動洗浄機ＷＤにセットされる、金網状を有する洗浄バスケットＢに固定される際に、格子状に交差する金網の交差部分に第１十字ガイド２００１が一致する位置関係とされる。この位置関係で、後述する第２本体部４０の被固定部４０５が金網の交差部分に固定される。
【００２１】
第１本体部２０の一端面には、第１本体部２０と第２本体部４０とを結ぶ方向である上下方向Ｄ１において、後述する位置決め係合部４０８に対応する形状を有する位置決め表示部２０７が設けられている。具体的には、位置決め表示部２０７は、輪郭が第１板状部２１の上面から上方向Ｄ１１へ突出し、円盤形状を有する第１板状部２１の上面に沿って延びる長円形状を有しており、上下方向Ｄ１において、後述の位置決め係合部４０８に一致する位置関係を有する。位置決め表示部２０７は、位置決め被係合部Ｃ１０１の長手方向、第１板状部２１の直径方向、接線方向のいずれとも直交しておらず、これらの方向に対して傾斜した方向へ指向する。
【００２２】
図２等に示すように、第１本体部２０は、被固定部２０５を有している。被固定部２０５は、同一形状の略直方体形状を有して４個設けられており、第１板状部２１の中央部から上方向Ｄ１１へそれぞれ突出している。４個の被固定部２０５は、２つずつ対をなして２対となるように構成されている。各対をなす２つの被固定部２０５においては、最も面積が広い側面同士が対向し合い且つ平行な位置関係で配置されている。対向する最も面積が広い側面同士の上端部は、上方向へ向って互いに離間し合うように、一方の上端部と他方の上端部との間の距離が広がっている。
【００２３】
４つの被固定部２０５において互いに対向する最も面積が広い側面同士の間には、金網状を有する洗浄バスケットＢ（図１１Ａ参照）を構成する直交するワイヤＷＲ（図１１Ｂ参照）のうちの縦のワイヤＷＲを配置させることができる。また、４つの被固定部２０５において、互いに対向する最も面積が広い側面に直交する、面積が狭い側面同士の間には、洗浄バスケットＢを構成する直交するワイヤＷＲ（図１１Ｂ参照）のうちの横のワイヤＷＲを配置させることができる。このように配置された縦のワイヤＷＲは、ワイヤ係合溝２０６（図３等参照）に係合し、対向する被固定部２０５間から外れることが抑えられる。
【００２４】
このように被固定部２０５間に、洗浄バスケットＢを構成する直交するワイヤＷＲの縦のワイヤＷＲと横のワイヤＷＲとが配置されることにより、ホルダー本体１０を構成する第１板状部２１は、ホルダー支持部材としての洗浄バスケットＢに固定される。即ち、第１本体部２０が洗浄バスケットＢに対向するように配置され、第２本体部４０がワイヤＷＲに固定されず、第１本体部２０がワイヤＷＲに固定される場合に、被固定部２０５は用いられる。
【００２５】
第１板状部２１の周縁部には、図２に示すように、第１板状部２１の半径方向外方へ突出する突出部２１１が設けられている。突出部２１１の先端縁は、第１板状部２１の周方向に延びて弧状を有している。突出部２１１は、第１板状部２１の周方向に間隔を空けて２つずつでそれぞれ組をなして、第１板状部２１の周方向に等ピッチで３組設けられている。
【００２６】
第１周縁部環状壁２２は、第１板状部２１の周縁部に一体的に接続されている。図１、図４に示すように、第１周縁部環状壁２２は、上下方向Ｄ１に平行な軸心の方向の長さが短い円筒形状を有しており、第１板状部２１の下面から下方へ延びている。第１周縁部環状壁２２は、円盤形状を有する第１板状部２１と同軸的な位置関係を有している。第１周縁部環状壁２２の部分であって、第１板状部２１において突出部２１１が設けられていない部分から下方に延びている第１周縁部環状壁２２の部分には、係合部としてのフック部２２１が、それぞれ下方へ突出して計３つ設けられている。
【００２７】
フック部２２１は、下方向Ｄ１２へ延出し、延出端部２２０が第１板状部２１の半径方向外方へ突出する形状を有している。第１板状部２１の半径方向外方へ突出する形状を有する当該延出端部２２０は、円盤形状を有する第１板状部２１の中心角で０°、１２０°、２４０°の位置にそれぞれ存在している。図７に示すように、これら３つの延出端部２２０のうちの１つの延出端部２２０（２２０−１）は、他の２つの延出端部２２０（２２０−２、２２０−３）とは異なる形状を有する。即ち、３つの延出端部２２０のうちの１つの延出端部２２０−１は、他の２つの延出端部２２０−２、２２０−３よりも、第１板状部２１の周方向における長さが長く構成されている。
【００２８】
延出端部２２０の上面は、図３、図５等に示すように、傾斜面２２２と水平面２２３とを有している。水平面２２３は、上下方向Ｄ１に直交する位置関係を有している。傾斜面２２２は、下方向Ｄ１２を向く平面視で、第１板状部２１の軸心を中心とした時計回り方向における水平面２２３の端縁から、当該時計回り方向に第１板状部２１の周方向に沿って延びると共に、下方向Ｄ１２へ向かうように傾斜している。３つの延出端部２２０のうちの、第１板状部２１の周方向における長さが長く構成されている延出端部２２０−１の傾斜面２２２、水平面２２３の当該周方向における長さは、他の２つの延出端部２２０−２、２２０−３の傾斜面２２２、水平面２２３の当該周方向における長さよりも、それぞれ長く構成されている。
【００２９】
図５に示すように、係合部としてのフック部２２１の延出端部２２０であって、第１板状部２１の周方向における長さが長い延出端部２２０−１の側面には、係合部凸部２２６が設けられている。係合部凸部２２６は、円盤形状を有する第１板状部２１の半径方向外方へ突出し、水平面２２３に直交する方向である上下方向Ｄ１に延びている。
【００３０】
係合部凸部２２６が設けられている、第１板状部２１の半径方向内方における延出端部２２０の部分には、切り欠きが形成されており、この切り欠きが形成されているために、係合部凸部２２６が設けられている延出端部２２０の部分は、薄肉部２２５を構成する。係合部凸部２２６は、第１本体部２０の周方向における薄肉部２２５の中央部に設けられている。延出端部２２０が薄肉部２２５を有することにより、後述のように、第１本体部２０を第２本体部４０に対して相対的に回転をさせる際に、被係合部凸部４２６が係合部凸部２２６を乗り越えるときに、被係合部凸部４２６が係合部凸部２２６に対して相対的に且つ弾性的に変位可能である。
【００３１】
収容空間第１形成環状壁２３は、第１板状部２１の周縁部よりも第１板状部２１の半径方向内方に位置する第１板状部２１の部分に一体的に接続されている。収容空間第１形成環状壁２３は、図１、図４に示すように、上下方向Ｄ１に平行な軸心の方向の長さが第１周縁部環状壁２２よりも短い円筒形状（環状）を有しており、第１板状部２１の下面から下方へ延びている。収容空間第１形成環状壁２３は、第１板状部２１及び第１周縁部環状壁２２と同軸的な位置関係を有している。
【００３２】
第１本体部２０の部分であって、第１本体部２０の半径方向における収容空間第１形成環状壁２３から第１周縁部環状壁２２までの部分は、上下方向Ｄ１において第１本体部２０の厚さが第１本体部２０の他の部分よりも厚肉の厚肉部２１２（図４等参照）を構成している。
【００３３】
〔洗浄用水流路２０１〕
洗浄用水流路２０１（図１２参照）は、厚肉部２１２に形成された流路切り欠き２１３の一部により構成されている。図７等に示すように、流路切り欠き２１３は、一組の突出部２１１の間の部分、及び、一組の突出部２１１の両側の隣接部にそれぞれ形成されている。従って、流路切り欠き２１３は、第１板状部２１の周方向へ等間隔で９つ形成されている。このため、一の内方開口２０３は、図７に示すように、一の内方開口２０３から収容空間１０１に流入した洗浄液Ｗの流入方向（第１本体部２０の直径方向）において、収容空間１０１を介して他の内方開口２０３に対向しない。一の内方開口２０３は、収容空間１０１を介してホルダー本体１０の一部を構成する第１本体部２０の一部に対向する。
【００３４】
流路切り欠き２１３は、第１板状部２１の周方向で視て矩形状を有している。流路切り欠き２１３は、凹部を第１板状部２１の半径方向外方へ延ばして、凹部における第１板状部２１の半径方向外方の部分を、洗浄確認用インジケータホルダー１の外方へ向けて開放したような形状を有している。
【００３５】
具体的には、図１２に示すように、第１板状部２１の半径方向内方（図１２の右方向）における、流路切り欠き２１３の端部は、内方開口２０３を有している。図１２の上方向における第１板状部２１の端部は、第１板状部２１の上面において上方へ向って開口する外方開口２０２を有している。第１板状部２１の半径方向外方（図１２の左方向）における、流路切り欠き２１３の端部は、第１板状部２１の半径方向外方へ向って開口する排出路開口２０４を有している。
【００３６】
洗浄用水流路２０１は、図１２において一点鎖線で示す部分により構成される。また、流路切り欠き２１３の一部は、図１２において二点鎖線で示す部分である洗浄液排出路２１７を構成する。
【００３７】
即ち、洗浄用水流路２０１の一端部は、外方開口２０２を有し、洗浄用水流路２０１の他端部は、内方開口２０３を有している。これに対して、洗浄液排出路２１７の一端部は、外方開口２０２とは異なる位置に存在する排出路開口２０４を有している。洗浄液排出路２１７の他端部は、洗浄用水流路２０１の他端部と共通の、内方開口２０３を有している。このため、洗浄用水流路２０１は、図１２に示すように、Ｌ字形状を有しているが、洗浄液排出路２１７は、第１板状部２１の半径方向において、洗浄液排出路２１７の一端部としての排出路開口２０４と、洗浄液排出路２１７の他端部としての内方開口２０３と、が直線状に連通する形状を有している。
【００３８】
図１２に示すように、第１板状部２１の上方から下方向Ｄ１２へ、洗浄液Ｗが噴出されている場合であっても、洗浄液排出路２１７は、収容空間１０１に流入した洗浄液Ｗ２をホルダー本体１０の外部へ排出可能である。また、洗浄用水流路２０１の一部と、洗浄液排出路２１７の一部とは共通の部分により構成されているため、図１２に示すように、第１板状部２１の上方から下方向Ｄ１２へ、洗浄液Ｗが噴出されている場合に、洗浄液排出路２１７は、外方開口２０２から洗浄用水流路２０１に流入した洗浄液Ｗ３を、洗浄液排出路２１７の他端部である排出路開口２０４から排出可能である。
【００３９】
〔第２本体部４０〕
図８〜図１０に示すように、第２本体部４０は、第２板状部４１と、第２周縁部環状壁４２と、収容空間第２形成環状壁４３と、を有している。第２板状部４１は、円盤形状を有している。
【００４０】
第２本体部４０は、位置決め係合部４０８を有している。図２、図８に示すように、位置決め係合部４０８は、収容空間１０１を二等分する一の線を中心とした非線対称の形状を有する。具体的には、第２板状部４１の上面から上方向Ｄ１１へ突出し、円盤形状を有する第２板状部４１の上面に沿って延びる長円形状を有しており、基板Ｃの位置決め被係合部Ｃ１０１、及び、位置決め表示部２０７に対応する形状、より具体的には、同一の形状を有している。位置決め係合部４０８は、上下方向Ｄ１において、基板Ｃの位置決め被係合部Ｃ１０１、及び、位置決め表示部２０７に一致する位置関係を有する。収容空間１０１に基板Ｃが収容されたときに、位置決め係合部４０８は、基板Ｃの位置決め被係合部Ｃ１０１を貫通し、これにより位置決め被係合部Ｃ１０１は、位置決め係合部４０８に係合する。
【００４１】
位置決め係合部４０８の長円形状の長手方向は、第２板状部４１の直径方向、接線方向のいずれとも直交しておらず、これらの方向に対して傾斜した方向へ指向する。このため、例えば、第２板状部４１の中心の位置と、位置決め係合部４０８の長円形状の長手方向における中央の位置と、を通る直線、即ち、収容空間１０１を二等分する一の線を中心として、位置決め係合部４０８は、線対称の形状を有しておらず、非線対称の形状を有している。
【００４２】
また、第２本体部４０の第２板状部４１の上面には、図２に示すように、上方に突出する環状突出部４１９を有している。環状突出部４１９は、基板Ｃの第２本体部４０の第２板状部４１の上面からの取り出しを容易とする。
【００４３】
第２本体部４０の他端面には、第２本体部４０の基準方向を示す第２方向表示部としての第２十字ガイド４００１が設けられている。第２十字ガイド４００１は、第１本体部２０と第２本体部４０とを結ぶ方向である上下方向Ｄ１において、第１十字ガイド２００１に対応する形状を有する。
より具体的には、第２十字ガイド４００１は、第２板状部４１の下面から下方向Ｄ１２へ突出し、円盤形状を有する第２板状部４１の下面において直径方向に互いに直交するように延びている。そして、上下方向Ｄ１において、第２十字ガイド４００１は、第１十字ガイド２００１に一致する位置関係を有している。第２十字ガイド４００１は、後述のように、医療用自動洗浄機ＷＤにセットされる、金網状を有する洗浄バスケットＢに固定される際に、図１１Ｄに示すように、格子状に交差する金網の交差部分に第２十字ガイド４００１が一致する位置関係とされる。この位置関係で、後述する第１本体部２０の被固定部２０５が金網の交差部分に固定される。
【００４４】
図９、図１０に示すように、第２本体部４０は、被固定部としての被固定部４０５を有している。被固定部４０５は、同一形状の略直方体形状を有して４個設けられており、第２板状部４１の中央部から上方向Ｄ１１へそれぞれ突出している。被固定部４０５は、２つずつ対をなして２対となるように構成されている。各対をなす２つの被固定部４０５においては、最も面積が広い側面同士が対向し合い且つ平行な位置関係で配置されている。対向する最も面積が広い側面同士の上端部は、上方向へ向って互いに離間し合うように、一方の上端部と他方の上端部との間の距離が広がっている。
【００４５】
４つの被固定部４０５において互いに対向する最も面積が広い側面同士の間には、金網状を有する洗浄バスケットＢ（図１１Ａ参照）を構成する直交するワイヤＷＲ（図１１Ｃ参照）のうちの縦のワイヤＷＲを配置させることができる。また、４つの被固定部４０５において、互いに対向する最も面積が広い側面に直交する、面積が狭い側面同士の間には、洗浄バスケットＢを構成する直交するワイヤＷＲ（図１１Ｃ参照）のうちの横のワイヤＷＲを配置させることができる。被固定部４０５に配置される縦のワイヤＷＲは、被固定部２０５に配置された場合の縦のワイヤＷＲと平行の位置関係となるように構成されている。同様に、被固定部４０５に配置される横のワイヤＷＲは、被固定部２０５にワイヤＷＲが配置された場合の横のワイヤＷＲと平行の位置関係となるように構成されている。
【００４６】
このように配置された縦のワイヤＷＲは、ワイヤ係合溝４０４（図１０参照）に係合し、対向する被固定部４０５間から外れることが抑えられる。このように被固定部４０５間に、洗浄バスケットＢを構成する直交するワイヤＷＲの縦のワイヤＷＲと横のワイヤＷＲとが配置されることにより、ホルダー本体１０を構成する第２板状部４１は、ホルダー支持部材としての洗浄バスケットＢに固定される。即ち、第２本体部４０が洗浄バスケットＢに対向するように配置され、第１本体部２０がワイヤＷＲに固定されず、第２本体部４０がワイヤＷＲに固定される場合に、被固定部４０５は用いられる。
【００４７】
図１に示すように、第２周縁部環状壁４２は、第２板状部４１の周縁部に一体的に接続されている。図１、図８に示すように、第２周縁部環状壁４２は、上下方向Ｄ１に平行な軸心の方向の長さが短い円筒形状を有しており、第２板状部４１の上面から上方へ延びている。第２周縁部環状壁４２は、円盤形状を有する第２板状部４１と同軸的な位置関係を有している。
【００４８】
第２周縁部環状壁４２には、滑り止め凸部４２１が設けられている。滑り止め凸部４２１は、図８〜図１０に示すように、第２周縁部環状壁４２の外周面から第２板状部４１の半径方向外方へ突出しており、図９に示すように、第２周縁部環状壁４２の下端から上端部近傍に至るまで延びている。滑り止め凸部４２１は、第２周縁部環状壁４２の外周面において、周方向へ等間隔で複数設けられている。
【００４９】
収容空間第２形成環状壁４３は、第２板状部４１の周縁部よりも第２板状部４１の半径方向内方に位置する第２板状部４１の部分に一体的に接続されている。図１、図２等に示すように、収容空間第２形成環状壁４３は、上下方向Ｄ１に平行な軸心の方向の長さが第２周縁部環状壁４２よりも短い円筒形状（環状）を有しており、第２板状部４１の上面から上方へ延びている。収容空間第２形成環状壁４３は、第２板状部４１及び第２周縁部環状壁４２と同軸的な位置関係を有している。
【００５０】
第２本体部４０の部分であって、第２本体部４０の半径方向における収容空間第２形成環状壁４３から第２周縁部環状壁４２までの部分は、上下方向Ｄ１において第２本体部４０の厚さが第２本体部４０の他の部分よりも薄肉となる溝４１２（図２等参照）を有している。溝４１２の一部は、被係合部としてのフック係止用貫通孔４１３を構成している。フック係止用貫通孔４１３は、第２板状部４１の周方向において、第２板状部４１の周方向に等間隔を空けて等ピッチで、３つ設けられている。フック係止用貫通孔４１３は、第２板状部４１の周方向に延びている。
【００５１】
フック係止用貫通孔４１３は、円盤形状を有する第２板状部４１の中心角で０°、１２０°、２４０°の位置にそれぞれ存在している。図８に示すように、そのうちの１つのフック係止用貫通孔４１３（４１３−１）は、他の２つのフック係止用貫通孔４１３（４１３−２、４１３−３）とは異なる形状を有している。
【００５２】
具体的には、フック係止用貫通孔４１３（４１３−１）は、他の２つのフック係止用貫通孔４１３−２、４１３−３よりも、第２板状部４１の周方向における長さが長く構成されている。この構成により、第２板状部４１の周方向における長さが長いフック係止用貫通孔４１３−１には、第１板状部２１の周方向における長さが長い延出端部２２０−１のみが貫通して係合することが可能である。この結果、第２本体部４０の３つのフック係止用貫通孔４１３には、それぞれ特定の延出端部２２０が貫通可能である。このように貫通することにより、第２本体部４０に対して第１本体部２０を固定することができるように構成されている。
【００５３】
図１０に示すように、底面視で第２本体部４０の時計回り方向におけるフック係止用貫通孔４１３の部分は、第２本体部４０の半径方向外方へ、フック係止用貫通孔４１３の幅が広がっている拡幅部４１４を有する。底面視で第２本体部４０の反時計回り方向におけるフック係止用貫通孔４１３の残りの部分は、溝４１２と同一の幅を有する溝幅同一部４１５を有する。
【００５４】
溝幅同一部４１５は、図８、図１０に示すように、第２周縁部環状壁４２の上端部を構成する第２本体部４０の周縁近傍部分４２３が、第２板状部４１の半径方向内方へ向ってフック係止用貫通孔４１３内に突出していることにより形成されている。図１０に示すように、周縁近傍部分４２３の下面は、水平面４０６と傾斜面４０７とを有している。水平面４０６は、上下方向Ｄ１に直交する位置関係を有している。傾斜面４０７は、上方向Ｄ１１を向く底面視で、第２板状部４１の軸心を中心とした反時計回り方向における水平面４０６の端縁から、当該反時計回り方向に第２板状部４１の周方向に沿って延びると共に、下方向Ｄ１２へ向かうように傾斜している。
【００５５】
第２板状部４１の周方向における長さが長いフック係止用貫通孔４１３を形成している第２周縁部環状壁４２の内周面の部分であって、溝幅同一部４１５を形成している第２周縁部環状壁４２の内周面の部分には、被係合部凸部４２６が設けられている。被係合部凸部４２６は、第２周縁部環状壁４２の内周面から、第２本体部４０の半径方向内方へ突出しており、周縁近傍部分４２３の下面の位置から、第２周縁部環状壁４２の下端に至るまで延びている。
【００５６】
〔インジケータホルダー１の組立〕
次に、洗浄確認用インジケータホルダー１の組立について、図１〜図１０を参照して説明する。
先ず、擬似汚染物を付着させた基板Ｃを、第２本体部４０と同軸的な位置関係とし、第２本体部４０の位置決め係合部４０８を基板Ｃの位置決め被係合部Ｃ１０１に挿入させて貫通させてゆき、基板Ｃを第２本体部４０の第２板状部４１の上面に載置する。これにより、基板Ｃの周縁部は、第２本体部４０の収容空間第２形成環状壁４３の側壁面であって、第２本体部４０の半径方向内側における側壁面４３１に当接するように配置される。
【００５７】
次に、平面視で、第１本体部２０の位置決め表示部２０７を第２本体部４０の位置決め係合部４０８に一致する位置関係として、第１本体部２０の下面を、基板Ｃが載置された第２本体部４０の上面に接近させてゆく。そして、延出端部２２０−１をフック係止用貫通孔４１３−１の拡幅部４１４に挿入し、延出端部２２０−２をフック係止用貫通孔４１３−２の拡幅部４１４に挿入し、延出端部２２０−３をフック係止用貫通孔４１３−３の拡幅部４１４に挿入する。これにより、第１本体部２０と第２本体部４０とは、同軸的な位置関係となる。
【００５８】
そして、更に、第１本体部２０の下面を、基板Ｃが載置された第２本体部４０の上面に接近させてゆき、収容空間第１形成環状壁２３の下端面を、基板Ｃの周縁部を介して、第２板状部４１の上面に当接させる。そして、第１本体部２０を第２本体部４０に対して回転させ、フック部２２１を溝幅同一部４１５に係合させる。この回転の際に、被係合部凸部４２６は、係合部凸部２２６に対して第１本体部２０の周方向へ相対的に移動し、係合部凸部２２６に当接して、回転の方向において係合部凸部２２６を乗り越える。この状態となることにより、係合部としてのフック部２２１の被係合部としてのフック係止用貫通孔４１３への係合が維持される。このように、被係合部凸部４２６が係合部凸部２２６を乗り越える際に、薄肉部２２５が弾性的に第２板状部４１の半径方向外方へ変位した後に、第２板状部４１の半径方向内方へ戻る。これにより、薄肉部２２５に設けられた被係合部凸部４２６は、フック部２２１の延出端部２２０の側面に叩き付けられ、これによる比較的大きなクリック音及びクリック感が発生する。
【００５９】
フック部２２１のフック係止用貫通孔４１３への係合が維持されているときには、フック部２２１の傾斜面２２４と周縁近傍部分４２３の傾斜面４０７とが面で当接すると共に、フック部２２１の水平面２２３と周縁近傍部分４２３の水平面４０６とが面で当接する。また、これにより、基板Ｃは、第１本体部２０の収容空間第１形成環状壁２３の下端面と、第２本体部４０の第２板状部４１の上面とにより挟まれて固定される。また、第１本体部２０は、第２本体部４０に強固に固定される。このとき、第１十字ガイド２００１と
第２十字ガイド４００１とは、上下方向Ｄ１において一致する位置関係を有する。
【００６０】
〔洗浄液の流れ〕
次に、擬似汚染物が付着した基板Ｃを収容した洗浄確認用インジケータホルダー１を、使用済みの内視鏡、ラパコレ鉗子、生検鉗子、吸引管、カテーテル、シリンジ、注射針等の医療器材Ｔとともに医療用自動洗浄機（ウォッシャーディスインフェクター：ＷＤ）において洗浄する際の洗浄液の流れについて、図１１Ａ〜図１２を参照して説明する。
【００６１】
図１１Ａに示すように、先ず、使用済みの内視鏡、ラパコレ鉗子、生検鉗子、吸引管、カテーテル、シリンジ、注射針等の医療器材Ｔとともに、１つの洗浄確認用インジケータホルダー１を、金網状を有する洗浄バスケットＢ上に載置する。このとき、被固定部２０５が洗浄バスケットＢのワイヤＷＲに固定される洗浄確認用インジケータホルダー１については、図１１Ｄに示すように、底面視で、第２十字ガイド４００１をワイヤＷＲの横のワイヤＷＲ及び縦のワイヤＷＲに一致した位置関係として、洗浄確認用インジケータホルダー１をワイヤＷＲに押し付ける。これにより、図１１Ｂに示すように、ワイヤＷＲに被固定部２０５が固定され、洗浄確認用インジケータホルダー１がワイヤＷＲに固定される。
【００６２】
また、被固定部４０５が洗浄バスケットＢのワイヤＷＲに固定される洗浄確認用インジケータホルダー１については、図１１Ｅに示すように、平面視で、第１十字ガイド２００１をワイヤＷＲの横のワイヤＷＲ及び縦のワイヤＷＲに一致した位置関係として、洗浄確認用インジケータホルダー１をワイヤＷＲに押し付ける。これにより、図１１Ｃに示すように、ワイヤＷＲに被固定部４０５が固定され、洗浄確認用インジケータホルダー１がワイヤＷＲに固定される。この状態で医療用自動洗浄機ＷＤ（図１１Ａ参照）を作動させて、洗浄バスケットＢの上方及び下方に配置され水平方向に移動する噴出口Ｆから、洗浄液Ｗをそれぞれ噴出させる。これにより、洗浄液Ｗは、洗浄確認用インジケータホルダー１の収容空間１０１内に流れて、基板Ｃに付着した擬似汚染物を洗浄する。
【００６３】
〔実施形態の効果〕
本実施形態の洗浄確認用インジケータホルダー１によれば、例えば、以下の効果が奏される。
本実施形態の洗浄確認用インジケータホルダー１は、洗浄確認用インジケータを収容する収容空間１０１を内部に有するホルダー本体１０を備える。ホルダー本体１０は、ホルダー本体１０の一端面を有する一端面側本体部としての第１本体部２０と、ホルダー本体１０の他端面を有し、第１本体部２０に固定される他端面側本体部としての第２本体部４０と、を有する。ホルダー本体１０の一端面には、第１本体部２０の基準方向を示す第１方向表示部としての第１十字ガイド２００１が設けられている。ホルダー本体１０の他端面には、第２本体部４０の基準方向を示す第２方向表示部としての第２十字ガイド４００１と、ホルダー本体１０を支持するホルダー支持部材としてのワイヤＷＲにホルダー本体１０を固定するための被固定部２０５と、が設けられている。第２十字ガイド４００１は、第１本体部２０と第２本体部４０とを結ぶ方向において、第１十字ガイド２００１に対応する形状を有する。
【００６４】
そのため、平面視で第１十字ガイド２００１を洗浄バスケットＢのワイヤＷＲの横のワイヤＷＲ及び縦のワイヤＷＲに一致させた位置関係として、第２本体部４０の被固定部４０５をワイヤＷＲに容易に固定させることが可能となる。同様に、底面視で第２十字ガイド４００１を洗浄バスケットＢのワイヤＷＲの横のワイヤＷＲ及び縦のワイヤＷＲに一致させた位置関係として、第１本体部２０の被固定部２０５をワイヤＷＲに容易に固定させることが可能となる。
【００６５】
また、第１本体部２０は、複数の係合部としてのフック部２２１の延出端部２２０を有し、一の係合部としての延出端部２２０−１は、他の係合部としての延出端部２２０−２、２２０−３と異なる形状を有する。第２本体部４０は、複数の係合部にそれぞれ係合する複数の被係合部としてのフック係止用貫通孔４１３−１、４１３−２、４１３−３を有する。一の被係合部としてのフック係止用貫通孔４１３−１は、他の被係合部としてのフック係止用貫通孔４１３−２、４１３−３と異なる形状を有し、且つ、一の係合部としてのフック係止用貫通孔４１３−１にのみ係合する。
【００６６】
そのため、複数の係合部としての延出端部２２０−１、２２０−２、２２０−３のそれぞれに特定の被係合部としてのフック係止用貫通孔４１３−１、４１３−２、４１３−３を係合させることができる。この結果、第１本体部２０に対して第２本体部４０を常に一定の位置関係で、固定することが可能となる。
【００６７】
また、複数の係合部としての延出端部２２０は、第１本体部２０を第２本体部４０に対して相対的に回転をさせることにより、複数の被係合部としてのフック係止用貫通孔４１３に係合する。係合部としての延出端部２２０には、係合部凸部２２６が設けられている。被係合部としてのフック係止用貫通孔４１３には、回転の際に係合部凸部２２６に当接してから、回転の方向において係合部凸部２２６を乗り越えることにより、係合部としての延出端部２２０の、被係合部としてのフック係止用貫通孔４１３への係合が維持される状態となる被係合部凸部４２６が設けられている。係合部凸部２２６が設けられる延出端部２２０の部分には、回転の際に被係合部凸部４２６が係合部凸部２２６を乗り越えるときに、係合部凸部２２６が被係合部凸部４２６に対して相対的に且つ弾性的に変位可能な、薄肉部２２５が形成されている。
【００６８】
そのため被係合部凸部４２６が係合部凸部２２６を乗り越える際に、薄肉部２２５が弾性的に第１板状部２１の半径方向内方へ変位した後に、第１板状部２１の半径方向外方へ戻る。これにより、薄肉部２２５に設けられた係合部凸部２２６を、第２周縁部環状壁４２の内周面に叩き付けることが可能となり、これによる比較的大きなクリック音及びクリック感を発生させることが可能となる。
【００６９】
また、第２本体部４０は、収容空間１０１を二等分する一の線を中心とした非線対称の形状を有する位置決め係合部４０８を有する。洗浄確認用インジケータとしての基板Ｃは、位置決め係合部４０８に係合する位置決め被係合部Ｃ１０１を有する。ホルダー本体１０の一端面には、結ぶ方向（上下方向Ｄ１）において、位置決め係合部４０８に対応する形状を有する位置決め表示部２０７が設けられる。
【００７０】
そのため、基板Ｃの位置決め被係合部Ｃ１０１を第２本体部４０の位置決め係合部４０８に係合させ、第２本体部の位置決め係合部４０８に第１本体部２０の位置決め表示部２０７を合わせるようにすることにより、第２本体部４０に対して、基板Ｃ及び第１本体部２０を所定の位置関係で固定することが可能となる。また、基板Ｃの表と裏とを誤った状態で、第２本体部４０に載置することを防止することが可能となる。
【００７１】
〔変形例〕
以上、好適な実施形態について説明したが、本発明は、前述した実施形態に限定されることなく、種々の形態で実施することができる。
例えば、本実施形態では、被固定部２０５、４０５は、第１本体部２０と第２本体部４０との両方に設けられていたが、この構成に限定されない。被固定部は、一端面側本体部と他端面側本体部とのうちの少なくとも一方に設けられていればよい。
【００７２】
また、本実施形態では、第１本体部２０が一端面側本体部を構成し、第２本体部４０が他端面側本体部を構成したが、この構成に限定されない。例えば、第１本体部２０が他端面側本体部を構成し、第２本体部４０が一端面側本体部を構成してもよい。この場合には、被固定部は、被固定部２０５により構成される。
【００７３】
本実施形態では、第１本体部２０の延出端部２２０は薄肉部２２５を有しており、薄肉部２２５には、係合部凸部２２６が設けられていたが、この構成に限定されない。例えば、他端面側本体部の第２周縁部環状壁は薄肉部を有し、薄肉部には、被係合部凸部が設けられていてもよい。また、他端面側本体部の第２周縁部環状壁と、一端面側本体部のフック部の延出端部とのうちの少なくとも一方が薄肉部を有していればよく、両方が薄肉部を有していてもよい。これにより、係合部凸部が被係合部凸部に対して相対的且つ弾性的に変位可能となる。
【００７４】
また、本実施形態では、医療用自動洗浄機ＷＤは、洗浄バスケットＢの上方及び下方から、洗浄液Ｗを噴出させる構成を有していたが、これに限定されない。例えば、医療用自動洗浄機ＷＤは、洗浄バスケットＢの上方又は下方のいずれか一方からのみ噴出する構成を有していてもよい。
【００７５】
また、本実施形態では、４つの洗浄確認用インジケータホルダーを洗浄バスケットＢ上に載置したが、４つの洗浄確認用インジケータホルダーに限定されない。
【００７６】
例えば、洗浄確認用インジケータホルダーを複数用意して、半数の洗浄確認用インジケータホルダーを、外方開口が鉛直上方向に向って開口する位置関係となるように、第１本体部が第２本体部に対して鉛直方向上側に位置するように、洗浄バスケットＢ上に載置する。そして、残りの半数の洗浄確認用インジケータホルダーを、外方開口が鉛直下方向に向って開口する位置関係となるように、第１本体部が第２本体部に対して鉛直方向下側に位置するように、洗浄バスケットＢ上に載置してもよい。また、鉛直方向以外の方向（鉛直上方向及び鉛直下方向以外の方向）に向けて洗浄液Ｗを噴出する医療用自動洗浄機を用いる場合には、外方開口が略水平方向に向って開口する位置関係となるように、洗浄確認用インジケータホルダーを、洗浄バスケットＢ上に載置してもよく、また、外方開口が水平方向及び鉛直方向に交差する方向（斜めの方向）に向って開口する位置関係となるように、洗浄確認用インジケータホルダーを、洗浄バスケットＢ上に載置してもよい。
【００７７】
また、本実施形態では、洗浄確認用インジケータホルダーの各部の構成について詳述したが、本発明においては、本実施形態における洗浄確認用インジケータホルダーの各部の構成に限定されない。例えば、第１方向表示部、第２方向表示部、被固定部、係合部、被係合部、係合部凸部、被係合部凸部、薄肉部、位置決め係合部、位置決め被係合部、位置決め表示部等の構成は、本実施形態における、第１十字ガイド２００１、第２十字ガイド４００１、被固定部２０５、４０５、フック部２２１の延出端部２２０、フック係止用貫通孔４１３、係合部凸部２２６、被係合部凸部４２６、薄肉部２２５、位置決め係合部４０８、位置決め被係合部Ｃ１０１、位置決め表示部２０７等の構成に限定されない。
【００７８】
例えば、第２方向表示部は、一端面側本体部と他端面側本体部とを結ぶ方向において、第１方向表示部に対応する形状を有していればよい。ここで、「対応する形状」とは、形状が同一の場合のみならず、形状が異なっていても、対応する位置が分かりやすい形状を含むことを意味する。即ち、第１方向表示部と第２方向表示部との形状が異なっていても、第１方向表示部を見て、第２方向表示部を有する他端面側本体部の方向を認識できるような形状を有していればよい。
【００７９】
また、例えば、本実施形態では、位置決め係合部４０８、位置決め被係合部Ｃ１０１、位置決め表示部２０７は、平面視で同一の長円形状を有していたが、この構成に限定されない。例えば、位置決め表示部は、一端面側本体部と他端面側本体部とを結ぶ方向において、位置決め係合部に対応する形状を有していればよい。ここで、「対応する形状」とは、形状が同一の場合のみならず、形状が異なっていても、対応する位置が分かりやすい形状を含むことを意味する。即ち、位置決め表示部と位置決め係合部との形状が異なっていても、位置決め表示部を見て、位置決め係合部を有する他端面側本体部の方向を認識できるような形状を有していればよい。
【００８０】
また、本実施形態では、係合部としての１つの延出端部２２０−１は、他の２つの延出端部２２０−２、２２０−３よりも、第１板状部２１の周方向における長さが長く構成されていた。そして、被係合部としての１つのフック係止用貫通孔４１３（４１３−１）は、他の２つのフック係止用貫通孔４１３−２、４１３−３よりも、第２板状部４１の周方向における長さが長く構成されていたが、この構成に限定されない。一の係合部は、他の係合部と異なる形状を有していればよく、一の被係合部は、他の被係合部と異なる形状を有し、且つ、一の係合部にのみ係合すればよい。
【符号の説明】
【００８１】
１  洗浄確認用インジケータホルダー
１０  ホルダー本体
２０  第１本体部（一端面側本体部）
４０  第２本体部（他端面側本体部）
１０１  収容空間
２０５  被固定部
２０７  位置決め表示部
２２０  延出端部（係合部）
２２５  薄肉部
２２６  係合部凸部
４０５  被固定部
４０８  位置決め係合部
４１３  フック係止用貫通孔（被係合部）
４２６  被係合部凸部
２００１  第１十字ガイド（第１方向表示部）
４００１  第２十字ガイド（第２方向表示部）
Ｃ１０１  位置決め被係合部
ＷＲ  ワイヤ（ホルダー支持部材）
【図１】
0006645357.tif 000002
【図２】
0006645357.tif 000003
【図３】
0006645357.tif 000004
【図４】
0006645357.tif 000005
【図５】
0006645357.tif 000006
【図６】
0006645357.tif 000007
【図７】
0006645357.tif 000008
【図８】
0006645357.tif 000009
【図９】
0006645357.tif 000010
【図１０】
0006645357.tif 000011
【図１１Ａ】
0006645357.tif 000012
【図１１Ｂ】
0006645357.tif 000013
【図１１Ｃ】
0006645357.tif 000014
【図１１Ｄ】
0006645357.tif 000015
【図１１Ｅ】
0006645357.tif 000016
【図１２】
0006645357.tif 000017